(57)【特許請求の範囲】
【請求項１】
ＣＮ０（Ｃａｒｒｉｅｒ−ｔｏ−ｎｏｉｓｅ−ｄｅｎｓｉｔｙ  ｒａｔｉｏ）の低下量を設定する方法であって、
グローバル・ポジショニング・システム（ＧＰＳ）が実行中であるとき、グローバル・システム・フォー・モバイル・コミュニケーションズ（ＧＳＭ）サービスが実行中であるとき、
ＧＰＳ信号入力端の帯域内ノイズ値が所定値以下である場合、前記ＧＰＳのＣＮ０値の低下量を増加するようＰＡ  ｂｌａｎｋｉｎｇを無効にするステップと、
前記ＧＰＳ信号入力端の帯域内ノイズ値が前記所定値より高い場合、前記ＧＰＳのＣＮ０値の低下量を一定に維持するよう前記ＰＡ  ｂｌａｎｋｉｎｇを有効にするステップと、
を有し、
前記所定値は、前記ＰＡ  ｂｌａｎｋｉｎｇの無効状態の下での前記ＣＮ０の低下量が前記ＰＡ  ｂｌａｎｋｉｎｇの有効状態の下での前記ＣＮ０の低下量に等しい前記帯域内ノイズ値に対応する方法。
【請求項２】
ＧＰＳサービスが実行中であるとき、当該方法は更に、
所定の間隔で、前記ＧＳＭサービスの状態値がワーキング状態値であるか検出するステップを有する、請求項１記載のＣＮ０の低下量を設定する方法。
【請求項３】
当該方法は更に、
前記ＧＳＭサービスが実行中でないと検出されると、前記ＰＡ  ｂｌａｎｋｉｎｇの現在のワーキングモードを検出するステップと、
前記ＰＡ  ｂｌａｎｋｉｎｇの現在のワーキングモードが前記有効状態であると検出されると、前記ＰＡ  ｂｌａｎｋｉｎｇを無効にするステップと、
を有する、請求項１記載のＣＮ０の低下量を設定する方法。
【請求項４】
ＣＮ０（Ｃａｒｒｉｅｒ−ｔｏ−ｎｏｉｓｅ−ｄｅｎｓｉｔｙ  ｒａｔｉｏ）の低下量を設定する装置であって、
グローバル・ポジショニング・システム（ＧＰＳ）が実行中であることを検出し、グローバル・システム・フォー・モバイル・コミュニケーションズ（ＧＳＭ）サービスが実行中であることを検出するよう構成される検出ユニットと、
ＧＰＳ信号入力端の帯域内ノイズ値が所定値以下である場合、前記ＧＰＳのＣＮ０値の低下量を増加するようＰＡ  ｂｌａｎｋｉｎｇを無効にし、前記ＧＰＳ信号入力端の帯域内ノイズ値が前記所定値より高い場合、前記ＧＰＳのＣＮ０値の低下量を一定に維持するよう前記ＰＡ  ｂｌａｎｋｉｎｇを有効にするよう構成される設定ユニットと、
を有し、
前記所定値は、前記ＰＡ  ｂｌａｎｋｉｎｇの無効状態の下での前記ＣＮ０の低下量が前記ＰＡ  ｂｌａｎｋｉｎｇの有効状態の下での前記ＣＮ０の低下量に等しい前記帯域内ノイズ値に対応する装置。
【請求項５】
前記検出ユニットは、ＧＰＳサービスが実行中であるとき、所定の間隔で、前記ＧＳＭサービスの状態値がワーキング状態値であるか検出するよう構成される、請求項４記載のＣＮ０の低下量を設定する装置。
【請求項６】
前記検出ユニットは更に、前記ＧＳＭサービスが実行中でないと検出されると、前記ＰＡ  ｂｌａｎｋｉｎｇの現在のワーキングモードを検出するよう構成され、
前記処理ユニットは更に、前記ＰＡ  ｂｌａｎｋｉｎｇの現在のワーキングモードが有効状態であると前記検出ユニットが検出すると、前記ＰＡ  ｂｌａｎｋｉｎｇを無効にするよう構成される、請求項４記載のＣＮ０の低下量を設定する装置。
【発明の詳細な説明】
【技術分野】
【０００１】
本発明は、通信技術の分野に関し、特にＣＮ０（Ｃａｒｒｉｅｒ−ｔｏ−ｎｏｉｓｅ−ｄｅｎｓｉｔｙ  ｒａｔｉｏ）の低下量を設定する方法及び装置に関する。
【背景技術】
【０００２】
既存の携帯電話では、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ、グローバル・システム・フォー・モバイル・コミュニケーションズ）及びＧＰＳ（Ｇｌｏｂａｌ  Ｐｏｓｉｔｉｏｎｉｎｇ  Ｓｙｓｔｅｍ、グローバル・ポジショニング・システム）が同時に存在するとき、ＧＳＭのＰＡ（Ｐｏｗｅｒ  Ａｍｐｌｉｆｉｅｒ、パワーアンプ）が信号を送信するとき、生成されるスプリアス発射がＧＰＳ受信信号に影響を与え、ここで、ＣＮ０（Ｃａｒｒｉｅｒ−ｔｏ−ｎｏｉｓｅ−ｄｅｎｓｉｔｙ  ｒａｔｉｏ、搬送波対雑音密度比）値がＧＰＳ受信信号の信号強度を示すのに利用され、ＣＮ０値の低下量がＧＰＳ受信機の受信信号の品質を測定するのに利用され、すなわち、ＣＮ０値のより大きな低下量はＧＰＳ受信機の受信信号のより不良な品質を示す。
【０００３】
従って、各ＧＰＳチップメーカは、ＧＰＳチップにＰＡ  ｂｌａｎｋｉｎｇ機能を設定する。携帯電話メーカがＰＡ  ｂｌａｎｋｉｎｇ機能を有効にするとき、ＧＰＳのＣＮ０の低下量は、ある範囲内で制御される。しかしながら、ＧＳＭが動作しているとき、携帯電話のＰＣＬ（ｐｏｗｅｒ  ｃｏｎｔｒｏｌ  ｌｅｖｅｌ、パワー制御レベル）及びスロット（タイムスロット）の数の双方が変化し、従って、ＰＣＬ及びスロット数の値が一定であるとき、ＰＡ  ｂｌａｎｋｉｎｇ機能が有効にされているときのＧＰＳのＣＮ０値の低下量は、ＰＡ  ｂｌａｎｋｉｎｇ機能が無効にされているときのＧＰＳのＣＮ０値の低下量より大きくなりうる。従って、ＰＡ  ｂｌａｎｋｉｎｇ機能が有効状態又は無効状態にフレキシブルに制御できないため、ＧＰＳのＣＮ０値の低下量は増加し、ＧＰＳ受信信号の品質の劣化が生じる。
【発明の概要】
【０００４】
本発明の実施例は、ＧＰＳ受信信号の品質を向上させるため、ＣＮ０の低下量を設定する方法及び装置を提供する。
【０００５】
上記課題を達成するため、以下の技術的方策が本発明の実施例において利用される。
【０００６】
第１の態様によると、本発明は、ＰＡ  ｂｌａｎｋｉｎｇのワーキングモードを設定する方法であって、
グローバル・ポジショニング・システムＧＰＳが実行中であるとき、所定の間隔でグローバル・システム・フォー・モバイル・コミュニケーションズＧＳＭサービスが実行中であるか検出するステップと、
前記ＧＳＭサービスが実行中であると検出されると、前記ＧＳＭサービスによって占有される現在のタイムスロット数と、前記ＧＳＭサービスにより用いられる現在のパワー制御レベルとを取得するステップと、
前記現在のタイムスロット数と前記現在のパワー制御レベルとに従って、前記現在のタイムスロット数と前記現在のパワー制御レベルとに対応するＰＡ  ｂｌａｎｋｉｎｇのワーキングモードの指示情報について所定のテーブルを検索するステップであって、前記所定のテーブルは、前記ＧＳＭサービスにより占有される異なるタイムスロット数と前記ＧＳＭサービスにより用いられる異なるパワー制御レベルとに対応する前記ＰＡ  ｂｌａｎｋｉｎｇのワーキングモードの指示情報を有し、前記指示情報は、前記ＰＡ  ｂｌａｎｋｉｎｇのワーキングモードが有効状態又は無効状態にあることを示すのに用いられる、検索するステップと、
前記指示情報が前記ＰＡ  ｂｌａｎｋｉｎｇの現在のワーキングモードに一致しているか判断するステップと、
前記指示情報が前記ＰＡ  ｂｌａｎｋｉｎｇの現在のワーキングモードに一致していないと判断されると、前記ＰＡ  ｂｌａｎｋｉｎｇの現在のワーキングモードを前記指示情報に対応するワーキングモードに設定するステップと、
を有する方法を提供する。
【０００７】
第１の態様の第１の可能な実現方式では、前記所定の間隔でグローバル・システム・フォー・モバイル・コミュニケーションズＧＳＭサービスが実行中であるか検出するステップは、
前記所定の間隔で前記ＧＳＭサービスの状態値がワーキング状態値であるか検出するステップを有する。
【０００８】
第１の態様又は第１の態様の第１の可能な実現方式を参照して、第１の態様の第２の実現方式では、当該方法は更に、
前記ＧＳＭサービスが実行中でないと検出されると、前記ＰＡ  ｂｌａｎｋｉｎｇの現在のワーキングモードを検出するステップと、
前記ＰＡ  ｂｌａｎｋｉｎｇの現在のワーキングモードが前記有効状態にあると検出されると、前記ＰＡ  ｂｌａｎｋｉｎｇを無効にするステップと、
を有する。
【０００９】
第１の態様の第２の可能な実現方式を参照して、第１の態様の第３の実現方式では、前記指示情報が前記ＰＡ  ｂｌａｎｋｉｎｇの現在のワーキングモードに一致していないとき、前記ＰＡ  ｂｌａｎｋｉｎｇの現在のワーキングモードを前記指示情報に対応するワーキングモードに設定するステップは、
前記ＰＡ  ｂｌａｎｋｉｎｇのワーキングモードが前記有効状態にあることを前記指示情報が示し、前記ＰＡ  ｂｌａｎｋｉｎｇの現在のワーキングモードが前記無効状態にあるとき、前記ＰＡ  ｂｌａｎｋｉｎｇを有効にするステップ、又は、
前記ＰＡ  ｂｌａｎｋｉｎｇのワーキングモードが前記無効状態にあることを前記指示情報が示し、前記ＰＡ  ｂｌａｎｋｉｎｇの現在のワーキングモードが前記有効状態にあるとき、前記ＰＡ  ｂｌａｎｋｉｎｇを無効にするステップ、
を有する。
【００１０】
第１の態様の第２の可能な実現方式を参照して、第１の態様の第４の実現方式では、当該方法は更に、
前記指示情報が前記ＰＡ  ｂｌａｎｋｉｎｇの現在のワーキングモードに一致していると判断されると、前記ＰＡ  ｂｌａｎｋｉｎｇの現在のワーキングモードに対して処理を実行しないステップを有する。
【００１１】
第２の態様によると、本発明は、ＰＡ  ｂｌａｎｋｉｎｇのワーキングモードを設定する装置であって、
グローバル・ポジショニング・システムＧＰＳが実行中であるとき、所定の間隔でグローバル・システム・フォー・モバイル・コミュニケーションズＧＳＭサービスが実行中であるか検出するよう構成される検出ユニットと、
前記ＧＳＭサービスが実行中であると前記検出ユニットが検出すると、前記ＧＳＭサービスによって占有される現在のタイムスロット数と、前記ＧＳＭサービスにより用いられる現在のパワー制御レベルとを取得するよう構成される取得ユニットと、
前記取得ユニットにより取得される前記現在のタイムスロット数と前記現在のパワー制御レベルとに従って、前記現在のタイムスロット数と前記現在のパワー制御レベルとに対応するＰＡ  ｂｌａｎｋｉｎｇのワーキングモードの指示情報について所定のテーブルを検索するよう構成される検索ユニットであって、前記所定のテーブルは、前記ＧＳＭサービスにより占有される異なるタイムスロット数と前記ＧＳＭサービスにより用いられる異なるパワー制御レベルとに対応する前記ＰＡ  ｂｌａｎｋｉｎｇのワーキングモードの指示情報を有し、前記指示情報は、前記ＰＡ  ｂｌａｎｋｉｎｇのワーキングモードが有効状態又は無効状態にあることを示すのに用いられる、検索ユニットと、
前記検索ユニットにより検出された前記指示情報が前記ＰＡ  ｂｌａｎｋｉｎｇの現在のワーキングモードに一致しているか判断するよう構成される判断ユニットと、
前記指示情報が前記ＰＡ  ｂｌａｎｋｉｎｇの現在のワーキングモードに一致していないと前記判断ユニットが判断すると、前記ＰＡ  ｂｌａｎｋｉｎｇの現在のワーキングモードを前記指示情報に対応するワーキングモードに設定するよう構成される処理ユニットと、
を有する装置を提供する。
【００１２】
第２の態様の第１の可能な実現方式では、前記検出ユニットは、具体的には、前記所定の間隔で前記ＧＳＭサービスの状態値がワーキング状態値であるか検出するよう構成される。
【００１３】
第２の態様又は第２の態様の第１の可能な実現方式を参照して、第２の態様の第２の実現方式では、前記検出ユニットは更に、前記ＧＳＭサービスが実行中でないと検出されると、前記ＰＡ  ｂｌａｎｋｉｎｇの現在のワーキングモードを検出するよう構成され、
前記処理ユニットは更に、前記ＰＡ  ｂｌａｎｋｉｎｇの現在のワーキングモードが前記有効状態にあると前記検出ユニットが検出すると、前記ＰＡ  ｂｌａｎｋｉｎｇを無効にするよう構成される。
【００１４】
第２の態様の第２の可能な実現方式を参照して、第２の態様の第３の実現方式では、前記処理ユニットは、
前記ＰＡ  ｂｌａｎｋｉｎｇのワーキングモードが前記有効状態にあることを前記指示情報が示し、前記ＰＡ  ｂｌａｎｋｉｎｇの現在のワーキングモードが前記無効状態にあるとき、前記ＰＡ  ｂｌａｎｋｉｎｇを有効にするよう構成される第１の処理モジュールと、
前記ＰＡ  ｂｌａｎｋｉｎｇのワーキングモードが前記無効状態にあることを前記指示情報が示し、前記ＰＡ  ｂｌａｎｋｉｎｇの現在のワーキングモードが前記有効状態にあるとき、前記ＰＡ  ｂｌａｎｋｉｎｇを無効にするよう構成される第２の処理モジュールと、
を有する。
【００１５】
第２の態様の第２の可能な実現方式を参照して、第２の態様の第４の実現方式では、前記処理ユニットは更に、前記指示情報が前記ＰＡ  ｂｌａｎｋｉｎｇの現在のワーキングモードに一致していると前記判断ユニットが判断すると、前記ＰＡ  ｂｌａｎｋｉｎｇの現在のワーキングモードに対して処理を実行しないよう構成される。
【００１６】
本発明の実施例は、ＰＡ  ｂｌａｎｋｉｎｇのワーキングモードを設定する方法及び装置を提供する。ＧＰＳが実行中であるとき、所定の間隔でＧＳＭサービスが実行中であるか検出され、ＧＳＭサービスが実行中であると検出されると、ＧＳＭサービスにより占有される現在のタイムスロット数と、ＧＳＭサービスにより用いられる現在のパワー制御レベルとが取得され、それから、現在のタイムスロット数と現在のパワー制御レベルとに従って、現在のタイムスロット数と現在のパワー制御レベルとに対応するＰＡ  ｂｌａｎｋｉｎｇのワーキングモードの指示情報について、所定のテーブルが検索され、ここで、所定のテーブルは、ＧＳＭサービスにより占有される異なるタイムスロット数とＧＳＭサービスにより用いられる異なるパワー制御レベルとに対応するＰＡ  ｂｌａｎｋｉｎｇのワーキングモードの指示情報を有し、指示情報は、ＰＡ  ｂｌａｎｋｉｎｇのワーキングモードが有効状態又は無効状態にあることを示すのに用いられ、指示情報がＰＡ  ｂｌａｎｋｉｎｇの現在のワーキングモードに一致するか判断され、指示情報がＰＡ  ｂｌａｎｋｉｎｇの現在のワーキングモードに一致しないとき、ＰＡ  ｂｌａｎｋｉｎｇの現在のワーキングモードが、指示情報に対応するワーキングモードに設定され、これにより、ＧＳＭが動作中であるとき、ＧＰＳ受信信号の品質に対する影響が最小限となり、現在のＧＰＳのＣＮ０値の低下量が比較的最小となる。本発明の実施例は、従来技術において、ＧＳＭが動作中であるとき、携帯電話のＰＣＬ及びスロットの数の双方が変わり、ＰＡ  ｂｌａｎｋｉｎｇ機能が有効状態又は無効状態にフレキシブルに設定できないため、ＧＰＳのＣＮ０値の低下量が増加し、ＧＰＳ受信信号の品質が劣化するという問題を解決する。
【図面の簡単な説明】
【００１７】
本発明の実施例における技術的方策をより明確に説明するため、以下において、本発明の実施例を説明するのに必要な添付図面が簡単に紹介される。明らかに、以下の説明における添付図面は本発明の単なるいくつかの実施例を示し、当業者は、創作的な努力なく、これらの添付図面から他の図面を依然として導出してもよい。
【図１】図１は、ＧＳＭサービスが２つのタイムスロットを占有するときの干渉ラインのグラフである。
【図２】図２は、本発明の実施例１によるＰＡ  ｂｌａｎｋｉｎｇのワーキングモードを設定する方法のフローチャートである。
【図３】図３は、本発明の実施例１によるＰＡ  ｂｌａｎｋｉｎｇのワーキングモードを設定する他の方法のフローチャートである。
【図４】図４は、本発明の実施例２によるＰＡ  ｂｌａｎｋｉｎｇのワーキングモードを設定する装置の構成図である。
【図５】図５は、本発明の実施例２によるＰＡ  ｂｌａｎｋｉｎｇのワーキングモードを設定する他の装置の構成図である。
【図６】図６は、本発明の実施例３によるＰＡ  ｂｌａｎｋｉｎｇのワーキングモードを設定する装置の構成図である。
【発明を実施するための形態】
【００１８】
以下は、本発明の実施例における添付図面を参照して本発明の実施例における技術的方策を明確且つ完全に説明する。明らかに、説明される実施例は、本発明の実施例の全てでなく単なる一部である。創作的な努力なく本発明の実施例に基づき当業者により取得される他の全ての実施例は、本発明の保護範囲内に属する。
【００１９】
実施例１
本発明の本実施例が実現される前に、図１から、ＰＡ  ｂｌａｎｋｉｎｇが有効にされた後、ＧＳＭが送信を実行する際に占有されるタイムスロットの数が２に固定されるとき、ＧＳＭにより用いられるパワー制御レベルの値にかかわらず、ＧＰＳのＣＮ０値の低下量は一定値であり、すなわち、図１において直線であり、ＰＡ  ｂｌａｎｋｉｎｇが無効にされる場合、ＧＳＭアンテナとＧＰＳアンテナとの間の隔離が一定であり、ＧＳＭが送信を実行する際に占有されるタイムスロットの数が２に固定されるとき、ＧＳＭにより用いられるパワー制御レベルが増加するに従って、ＧＳＭ信号はＧＰＳ信号帯域に入り、ＧＰＳ信号帯域内のノイズがまた徐々に増加することになり、さらにＧＰＳのＣＮ０値の低下量もまた低から高に徐々に増加する傾向があり、すなわち、図１において低から高に上昇する上向きの曲線となることが分かるかもしれない。図１において、直線と曲線とが交差する前に、ＧＰＳのＣＮ０値の低下量はＰＡ  ｂｌａｎｋｉｎｇを無効にすることによって減少させることが可能であり、図１において直線と曲線とが交差した後、ＧＰＳのＣＮ０値の低下量はＰＡ  ｂｌａｎｋｉｎｇを有効にすることによって固定値に制御可能であることが知られているかもしれない。従って、ＧＰＳのＣＮ０値の低下量は、ＰＡ  ｂｌａｎｋｉｎｇの有効又は無効をフレキシブルに制御することによって減少させることが可能であり、これにより、ＧＰＳ受信信号の品質を向上させる。
【００２０】
従って、本発明の本実施例が実現される前、異なるパワー制御レベル及びタイムスロット数が、２次元の所定のテーブルａｍ＊ｂｎを構成するための変数として利用され、ここで、ａ１・・・ａｉ・・・ａｍはｍ個の異なるパワー制御レベルを示し、ａｉはｍ個の異なるパワー制御レベルの何れか１つを示し、ｂ１・・・ｂｊ・・・ｂｎはｎ個の異なるタイムスロット数を示し、ｂｊはｎ個の異なるタイムスロット数の何れか１つを示す。所定のテーブルにおける（ａｉ，ｂｊ）に対応する値は、ＰＡ  ｂｌａｎｋｉｎｇのワーキングモードの指示情報であり、指示情報の値は１又は０であってもよく、ここで、（ａｉ，ｂｊ）の値は、ＰＡ  ｂｌａｎｋｉｎｇが無効にされているときのＧＰＳのＣＮ０値の低下量と、ＰＡ  ｂｌａｎｋｉｎｇが有効にされているときのＧＰＳのＣＮ０値の低下量との間の差分によって決定され、当該差分が正の数であるとき、指示情報の値は１に設定され、ＰＡ  ｂｌａｎｋｉｎｇが無効にされているときのＧＰＳのＣＮ０値の低下量が、ＰＡ  ｂｌａｎｋｉｎｇが有効にされているときのＧＰＳのＣＮ０値の低下量より大きいことを示し、これにより、指示情報が１であるとき、ＰＡ  ｂｌａｎｋｉｎｇは有効にされるべきであり、当該差分が負の数であるとき、指示情報の値は０に設定され、ＰＡ  ｂｌａｎｋｉｎｇが無効にされているときのＧＰＳのＣＮ０値の低下量が、ＰＡ  ｂｌａｎｋｉｎｇが有効にされているときのＧＰＳのＣＮ０値の低下量より小さいことを示し、これにより、指示情報が０であるとき、ＰＡ  ｂｌａｎｋｉｎｇは無効にされるべきである。所定のテーブルにおける指示情報の設定は、当該値がＰＡ  ｂｌａｎｋｉｎｇが有効又は無効にされているかを示すことが可能である限り、上記の値に限定されるものでない。
【００２１】
図２に示されるように、本発明の本実施例は、ＰＡ  ｂｌａｎｋｉｎｇのワーキングモードを設定する方法を提供する。実行主体は携帯電話又はｐａｄなどの端末であり、当該方法は以下のステップを有する。
【００２２】
２０１：ＧＰＳが実行中であるとき、所定の間隔でＧＳＭサービスが実行中であるか検出する。
【００２３】
ユーザが端末のＧＰＳを有効にした後、端末は、例えば１秒の間隔などの所定の間隔で、端末のＧＳＭサービスが実行中であるか検出する。ＧＳＭサービスは、音声サービス又はデータサービスを含む。
【００２４】
ＧＳＭサービスが実行中であるか検出することは、具体的には、ＧＳＭサービスの状態値を検出することである。ＧＳＭサービスが実行中であるとき、状態値は、例えば、１などのワーキング状態値に設定され、ＧＳＭサービスが実行中でないとき、状態値は０である。
【００２５】
２０２：ＧＳＭサービスが実行中であると検出されると、ＧＳＭサービスによって占有される現在のタイムスロット数と、ＧＳＭサービスにより用いられる現在のパワー制御レベルとを取得する。
【００２６】
ステップ２０１から、ＧＳＭサービスの状態値が１であると検出されると、それは、ＧＳＭサービスが実行中であることを示し、それから、占有される現在のタイムスロット数と、ＧＳＭサービスが現在実行中であるときに使用されている現在のパワー制御レベルとが取得される。
【００２７】
現在のパワー制御レベルは、基地局から受信した信号の強度と予め構成されたマッピング関係テーブルとに従って端末により求められてもよい。マッピング関係テーブルは、異なる信号強度と送信電力との間の対応関係のテーブルであり、さらに、送信電力はパワー制御レベルに対応し、従って、対応する送信電力が、基地局から受信した信号の強度に従って求めることが可能であり、それから、現在のパワー制御レベルが取得される。さらに、端末は複数のタイムスロットを用いることによって送信をサポートすることが可能であるため、端末が基地局とデータ交換を実行するとき、基地局はタイムスロット数を端末に割り当て、端末は現在占有されているタイムスロットの数を取得してもよい。具体的な取得方式について、従来技術における関連する内容が参照されてもよい。
【００２８】
２０３：現在のタイムスロット数と現在のパワー制御レベルとに従って、現在のタイムスロット数と現在のパワー制御レベルとに対応するＰＡ  ｂｌａｎｋｉｎｇのワーキングモードの指示情報について所定のテーブルを検索し、ここで、所定のテーブルは、ＧＳＭサービスにより占有される異なるタイムスロット数とＧＳＭサービスにより用いられる異なるパワー制御レベルとに対応するＰＡ  ｂｌａｎｋｉｎｇのワーキングモードの指示情報を有し、指示情報は、ＰＡ  ｂｌａｎｋｉｎｇのワーキングモードが有効状態又は無効状態にあることを示すのに用いられる。
【００２９】
本発明の本実施例が実現される前に構成される２次元の所定のテーブルによると、取得された現在のタイムスロット数及び取得された現在のパワー制御レベルを利用することによって、現在のタイムスロット数及び現在のパワー制御レベルに対応するＰＡ  ｂｌａｎｋｉｎｇのワーキングモードの指示情報について、所定のテーブルが検索される。
【００３０】
２０４：指示情報がＰＡ  ｂｌａｎｋｉｎｇの現在のワーキングモードに一致しているか判断する。
【００３１】
ＰＡ  ｂｌａｎｋｉｎｇのワーキングモードが有効状態又は無効状態にあることを示す取得された指示情報が、ＰＡ  ｂｌａｎｋｉｎｇの現在のワーキングモードに一致するか判断される。
【００３２】
２０５：指示情報がＰＡ  ｂｌａｎｋｉｎｇの現在のワーキングモードに一致していないとき、ＰＡ  ｂｌａｎｋｉｎｇの現在のワーキングモードを指示情報に対応するワーキングモードに設定する。
【００３３】
本発明の本実施例は、ＰＡ  ｂｌａｎｋｉｎｇのワーキングモードを設定する方法を提供する。ＧＰＳが実行中であるとき、所定の間隔でＧＳＭサービスが実行中であるか検出され、ＧＳＭサービスが実行中であると検出されると、ＧＳＭサービスにより占有される現在のタイムスロット数と、ＧＳＭサービスにより用いられる現在のパワー制御レベルとが取得され、それから、現在のタイムスロット数と現在のパワー制御レベルとに従って、現在のタイムスロット数と現在のパワー制御レベルとに対応するＰＡ  ｂｌａｎｋｉｎｇのワーキングモードの指示情報について、所定のテーブルが検索され、ここで、所定のテーブルは、ＧＳＭサービスにより占有される異なるタイムスロット数とＧＳＭサービスにより用いられる異なるパワー制御レベルとに対応するＰＡ  ｂｌａｎｋｉｎｇのワーキングモードの指示情報を有し、指示情報は、ＰＡ  ｂｌａｎｋｉｎｇのワーキングモードが有効状態又は無効状態にあることを示すのに用いられ、指示情報がＰＡ  ｂｌａｎｋｉｎｇの現在のワーキングモードに一致するか判断され、指示情報がＰＡ  ｂｌａｎｋｉｎｇの現在のワーキングモードに一致しないとき、ＰＡ  ｂｌａｎｋｉｎｇの現在のワーキングモードが、指示情報に対応するワーキングモードに設定される。本発明の本実施例は、従来技術において、ＧＳＭが動作中であるとき、携帯電話のＰＣＬ及びスロットの数の双方が変わり、ＰＡ  ｂｌａｎｋｉｎｇ機能が有効状態又は無効状態にフレキシブルに設定できないため、ＧＰＳのＣＮ０値の低下量が増加し、ＧＰＳ受信信号の品質が劣化するという問題を解決する。本発明の本実施例の方策を利用することによって、ＧＰＳ受信信号の品質が向上できる。
【００３４】
本発明の本実施例の実現方式では、ＰＡ  ｂｌａｎｋｉｎｇのワーキングモードを設定する方法が提供される。図３に示されるように、実行主体として機能する携帯電話が説明のため具体例として用いられ、当該方法は以下のステップを有する。
【００３５】
３０１：携帯電話においてＧＰＳが実行中であるとき、所定の間隔で携帯電話におけるＧＳＭサービスが実行中であるか検出する。
【００３６】
携帯電話のユーザが携帯電話におけるＧＰＳを有効にすると、携帯電話は、例えば１秒の間隔などの所定の間隔で携帯電話におけるＧＳＭサービスが実行中であるか検出する。ＧＳＭサービスは、音声サービス又はデータサービスを含む。
【００３７】
携帯電話におけるＧＳＭサービスが実行中であるか検出することは、具体的には、ＧＳＭサービスの状態値を検出することである。ＧＳＭサービスが実行中であるとき、状態値は、例えば１などのワーキング状態値に設定され、ＧＳＭサービスが実行中でないとき、状態値は０である。
【００３８】
３０２：ＧＳＭサービスが実行中でないと検出されると、ＰＡ  ｂｌａｎｋｉｎｇの現在のワーキングモードを検出する。
【００３９】
携帯電話におけるＧＳＭサービスが実行中でないとき、ＧＰＳはＧＳＭサービスにより影響を受けない。従って、ＰＡ  ｂｌａｎｋｉｎｇは有効にされる必要はなく、ＰＡ  ｂｌａｎｋｉｎｇの現在のワーキングモードが検出される。
【００４０】
３０３：ＰＡ  ｂｌａｎｋｉｎｇの現在のワーキングモードが無効状態にあると検出されると、ＰＡ  ｂｌａｎｋｉｎｇの現在のワーキングモードに対して処理を実行しない。
【００４１】
３０４：ＰＡ  ｂｌａｎｋｉｎｇの現在のワーキングモードが有効状態にあると検出されると、ＰＡ  ｂｌａｎｋｉｎｇを無効にする。
【００４２】
携帯電話におけるＧＳＭサービスが実行中でないとき、ＧＰＳはＧＳＭサービスにより影響を受けない。従って、ＰＡ  ｂｌａｎｋｉｎｇは有効にされる必要はなく、ＰＡ  ｂｌａｎｋｉｎｇの現在のワーキングモードが有効状態にあると検出されると、電力消費を減少させるため、ＰＡ  ｂｌａｎｋｉｎｇが無効にされる。
【００４３】
３０５：ＧＳＭサービスが実行中であると検出されると、ＧＳＭサービスによって占有される現在のタイムスロット数と、ＧＳＭサービスにより用いられる現在のパワー制御レベルとを取得する。
【００４４】
ステップ３０１から、ＧＳＭサービスの状態値が１であると検出されると、それは、ＧＳＭサービスが実行中であることを示し、それから、占有される現在のタイムスロット数と、ＧＳＭサービスが現在実行中であるときに用いられる現在のパワー制御レベルとが取得される。
【００４５】
３０６：現在のタイムスロット数と現在のパワー制御レベルとに従って、現在のタイムスロット数と現在のパワー制御レベルとに対応するＰＡ  ｂｌａｎｋｉｎｇのワーキングモードの指示情報について所定のテーブルを検索し、ここで、所定のテーブルは、ＧＳＭサービスにより占有される異なるタイムスロット数とＧＳＭサービスにより用いられる異なるパワー制御レベルとに対応するＰＡ  ｂｌａｎｋｉｎｇのワーキングモードの指示情報を有し、指示情報は、ＰＡ  ｂｌａｎｋｉｎｇのワーキングモードが有効状態又は無効状態にあることを示すのに用いられる。
【００４６】
本発明の本実施例が実現される前に構成される２次元の所定のテーブルによると、取得された現在のタイムスロット数及び取得された現在のパワー制御レベルを利用することによって、現在のタイムスロット数及び現在のパワー制御レベルに対応するＰＡ  ｂｌａｎｋｉｎｇのワーキングモードの指示情報について、所定のテーブルが検索される。
【００４７】
３０７：指示情報がＰＡ  ｂｌａｎｋｉｎｇの現在のワーキングモードに一致しているか判断する。
【００４８】
取得した現在のタイムスロット数及び取得した現在のパワー制御レベルに対応し、ＰＡ  ｂｌａｎｋｉｎｇのワーキングモードが有効状態又は無効状態にあることを示す指示情報が、所定のテーブルにおいてＰＡ  ｂｌａｎｋｉｎｇの現在のワーキングモードに一致するか判断される。
【００４９】
３０８：指示情報がＰＡ  ｂｌａｎｋｉｎｇの現在のワーキングモードに一致していないとき、ＰＡ  ｂｌａｎｋｉｎｇの現在のワーキングモードを指示情報に対応するワーキングモードに設定する。
【００５０】
指示情報がＰＡ  ｂｌａｎｋｉｎｇの現在のワーキングモードに一致していないとき、以下の２つのケースが含まれる。
【００５１】
第１のケース：ＰＡ  ｂｌａｎｋｉｎｇのワーキングモードが有効状態にあることを指示情報が示し、ＰＡ  ｂｌａｎｋｉｎｇの現在のワーキングモードが無効状態にあるとき、ＰＡ  ｂｌａｎｋｉｎｇが有効にされる。
【００５２】
例えば、取得した現在のタイムスロット数が３であり、取得した現在のパワー制御レベルが４である場合、（４，３）に対応する指示情報について所定のテーブルが検索され、それは、ＰＡ  ｂｌａｎｋｉｎｇの現在のワーキングモードが無効状態にあるが、ＰＡ  ｂｌａｎｋｉｎｇが有効にされるべきであることを示す１であり、これにより、ＰＡ  ｂｌａｎｋｉｎｇは有効にされる。
【００５３】
第２のケース：ＰＡ  ｂｌａｎｋｉｎｇのワーキングモードが無効状態にあることを指示情報が示し、ＰＡ  ｂｌａｎｋｉｎｇの現在のワーキングモードが有効状態にあるとき、ＰＡ  ｂｌａｎｋｉｎｇが無効にされる。
【００５４】
例えば、取得した現在のタイムスロット数が３であり、取得した現在のパワー制御レベルが４である場合、（４，３）に対応する指示情報について所定のテーブルが検索され、それは、ＰＡ  ｂｌａｎｋｉｎｇの現在のワーキングモードが有効状態にあるが、ＰＡ  ｂｌａｎｋｉｎｇが無効にされるべきであることを示す０であり、これにより、ＰＡ  ｂｌａｎｋｉｎｇは無効にされる。
【００５５】
３０９：指示情報がＰＡ  ｂｌａｎｋｉｎｇの現在のワーキングモードに一致しているとき、ＰＡ  ｂｌａｎｋｉｎｇの現在のワーキングモードに対して処理を実行しない。
【００５６】
指示情報及びＰＡ  ｂｌａｎｋｉｎｇの現在のワーキングモードの双方が有効にされるか、又は指示情報及びＰＡ  ｂｌａｎｋｉｎｇの現在のワーキングモードの双方が無効にされるとき、ＰＡ  ｂｌａｎｋｉｎｇの現在のワーキングモードに対して処理は実行されず、ＰＡ  ｂｌａｎｋｉｎｇの現在のワーキングモードは変更されないままである。
【００５７】
本発明の本実施例では、ＧＳＭサービスが実行中であるとき、ＧＳＭサービスにより占有される現在のタイムスロット数と、ＧＳＭサービスにより用いられる現在のパワー制御レベルとが取得され、それから、タイムスロット数、パワー制御レベル及びＰＡ  ｂｌａｎｋｉｎｇのワーキングモードを利用することによって予め構成された２次元の所定のテーブルが、現在のタイムスロット数及び現在のパワー制御レベルに対応する指示情報について検索され、ＰＡ  ｂｌａｎｋｉｎｇのワーキングモードを設定する。ＰＡ  ｂｌａｎｋｉｎｇ機能は、有効状態又は無効状態にフレキシブルに設定され、ＧＰＳ受信信号の品質を向上させる。
【００５８】
さらに、本実施例はまた他のＴＤＤ（Ｔｉｍｅ  Ｄｉｖｉｓｉｏｎ  Ｄｕｐｌｅｘｉｎｇ、時分割複信）システムに適用されてもよく、同じ判定機構が追加され、ＧＰＳチップの干渉状態及びブロック抵抗性能が総合的に分析され、従って、条件が充足されるとき、ＧＰＳのＰＡ  ｂｌａｎｋｉｎｇ機能が有効又は無効にされる。
【００５９】
実施例２
本発明の本実施例は、ＰＡ  ｂｌａｎｋｉｎｇのワーキングモードを設定する装置４０を提供する。図４に示されるように、装置４０は、検出ユニット４１、取得ユニット４２、検索ユニット４３、判断ユニット４４及び処理ユニット４５を有する。
【００６０】
検出ユニット４１は、グローバル・ポジショニング・システムＧＰＳが実行中であるとき、所定の間隔でグローバル・システム・フォー・モバイル・コミュニケーションズＧＳＭサービスが実行中であるか検出するよう構成される。
【００６１】
取得ユニット４２は、ＧＳＭサービスが実行中であると検出ユニットが検出すると、ＧＳＭサービスによって占有される現在のタイムスロット数と、ＧＳＭサービスにより用いられる現在のパワー制御レベルとを取得するよう構成される。
【００６２】
検索ユニット４３は、取得ユニットにより取得される現在のタイムスロット数と現在のパワー制御レベルとに従って、現在のタイムスロット数と現在のパワー制御レベルとに対応するＰＡ  ｂｌａｎｋｉｎｇのワーキングモードの指示情報について所定のテーブルを検索するよう構成され、ここで、所定のテーブルは、ＧＳＭサービスにより占有される異なるタイムスロット数とＧＳＭサービスにより用いられる異なるパワー制御レベルとに対応するＰＡ  ｂｌａｎｋｉｎｇのワーキングモードの指示情報を有し、指示情報は、ＰＡ  ｂｌａｎｋｉｎｇのワーキングモードが有効状態又は無効状態にあることを示すのに用いられる。
【００６３】
判断ユニット４４は、検索ユニットにより検出された指示情報がＰＡ  ｂｌａｎｋｉｎｇの現在のワーキングモードに一致しているか判断するよう構成される。
【００６４】
処理ユニット４５は、指示情報がＰＡ  ｂｌａｎｋｉｎｇの現在のワーキングモードに一致していないと判断ユニットが判断すると、ＰＡ  ｂｌａｎｋｉｎｇの現在のワーキングモードを指示情報に対応するワーキングモードに設定するよう構成される。
【００６５】
本発明の本実施例は、ＰＡ  ｂｌａｎｋｉｎｇのワーキングモードを設定する装置を提供する。ＧＰＳが実行中であるとき、所定の間隔でＧＳＭサービスが実行中であるか検出され、ＧＳＭサービスが実行中であると検出されると、ＧＳＭサービスにより占有される現在のタイムスロット数と、ＧＳＭサービスにより用いられる現在のパワー制御レベルとが取得され、それから、現在のタイムスロット数と現在のパワー制御レベルとに従って、現在のタイムスロット数と現在のパワー制御レベルとに対応するＰＡ  ｂｌａｎｋｉｎｇのワーキングモードの指示情報について、所定のテーブルが検索され、ここで、所定のテーブルは、ＧＳＭサービスにより占有される異なるタイムスロット数とＧＳＭサービスにより用いられる異なるパワー制御レベルとに対応するＰＡ  ｂｌａｎｋｉｎｇのワーキングモードの指示情報を有し、指示情報は、ＰＡ  ｂｌａｎｋｉｎｇのワーキングモードが有効状態又は無効状態にあることを示すのに用いられ、指示情報がＰＡ  ｂｌａｎｋｉｎｇの現在のワーキングモードに一致するか判断され、指示情報がＰＡ  ｂｌａｎｋｉｎｇの現在のワーキングモードに一致しないとき、ＰＡ  ｂｌａｎｋｉｎｇの現在のワーキングモードが、指示情報に対応するワーキングモードに設定される。本発明の本実施例は、従来技術において、ＧＳＭが動作中であるとき、携帯電話のＰＣＬ及びスロットの数の双方が変わり、ＰＡ  ｂｌａｎｋｉｎｇ機能が有効状態又は無効状態にフレキシブルに設定できないため、ＧＰＳのＣＮ０値の低下量が増加し、ＧＰＳ受信信号の品質が劣化するという問題を解決する。
【００６６】
装置４０は、携帯電話又はｐａｄなどの端末に配置される。具体的な適用では、任意的には、検出ユニットは、具体的には、所定の間隔でＧＳＭサービスの状態値がワーキング状態値であるか検出するよう構成される。
【００６７】
任意的には、検出ユニットは更に、ＧＳＭサービスが実行中でないと検出されると、ＰＡ  ｂｌａｎｋｉｎｇの現在のワーキングモードを検出するよう構成され、
処理ユニットは更に、ＰＡ  ｂｌａｎｋｉｎｇの現在のワーキングモードが有効状態にあると検出ユニットが検出すると、ＰＡ  ｂｌａｎｋｉｎｇを無効にするよう構成される。
【００６８】
任意的には、図５に示されるように、処理ユニット４５は、
ＰＡ  ｂｌａｎｋｉｎｇのワーキングモードが有効状態にあることを指示情報が示し、ＰＡ  ｂｌａｎｋｉｎｇの現在のワーキングモードが無効状態にあるとき、ＰＡ  ｂｌａｎｋｉｎｇを有効にするよう構成される第１の処理モジュール５１と、
ＰＡ  ｂｌａｎｋｉｎｇのワーキングモードが無効状態にあることを指示情報が示し、ＰＡ  ｂｌａｎｋｉｎｇの現在のワーキングモードが有効状態にあるとき、ＰＡ  ｂｌａｎｋｉｎｇを無効にするよう構成される第２の処理モジュール５２と、
を有する。
【００６９】
任意的には、処理ユニットは更に、指示情報がＰＡ  ｂｌａｎｋｉｎｇの現在のワーキングモードに一致していると判断ユニットが判断すると、ＰＡ  ｂｌａｎｋｉｎｇの現在のワーキングモードに対して処理を実行しないよう構成される。
【００７０】
装置４０の動作プロセスについて、ＰＡ  ｂｌａｎｋｉｎｇのワーキングモードを設定する上記の方法の処理プロセスを参照されたい。
【００７１】
実施例３
本発明の本実施例は、ＰＡ  ｂｌａｎｋｉｎｇのワーキングモードを設定する装置６０を提供する。図６に示されるように、装置６０はメモリ６１及びプロセッサ６２を有する。
【００７２】
メモリ６１は、命令及び所定のテーブルを記憶するよう構成される。
【００７３】
プロセッサ６２は、メモリ６１における命令を実行し、具体的には、
ＧＰＳが実行中であるとき、所定の間隔でＧＳＭサービスが実行中であるか検出するステップと、
ＧＳＭサービスが実行中であると検出されると、ＧＳＭサービスによって占有される現在のタイムスロット数と、ＧＳＭサービスにより用いられる現在のパワー制御レベルとを取得するステップと、
現在のタイムスロット数と現在のパワー制御レベルとに従って、現在のタイムスロット数と現在のパワー制御レベルとに対応するＰＡ  ｂｌａｎｋｉｎｇのワーキングモードの指示情報について所定のテーブルを検索するステップであって、所定のテーブルは、ＧＳＭサービスにより占有される異なるタイムスロット数とＧＳＭサービスにより用いられる異なるパワー制御レベルとに対応するＰＡ  ｂｌａｎｋｉｎｇのワーキングモードの指示情報を有し、指示情報は、ＰＡ  ｂｌａｎｋｉｎｇのワーキングモードが有効状態又は無効状態にあることを示すのに用いられる、検索するステップと、
指示情報がＰＡ  ｂｌａｎｋｉｎｇの現在のワーキングモードに一致しているか判断するステップと、
指示情報がＰＡ  ｂｌａｎｋｉｎｇの現在のワーキングモードに一致していないと判断されると、ＰＡ  ｂｌａｎｋｉｎｇの現在のワーキングモードを指示情報に対応するワーキングモードに設定するステップと、
を実行するよう構成される。
【００７４】
本発明の本実施例は、ＰＡ  ｂｌａｎｋｉｎｇのワーキングモードを設定する装置を提供する。ＧＰＳが実行中であるとき、所定の間隔でＧＳＭサービスが実行中であるか検出され、ＧＳＭサービスが実行中であると検出されると、ＧＳＭサービスにより占有される現在のタイムスロット数と、ＧＳＭサービスにより用いられる現在のパワー制御レベルとが取得され、それから、現在のタイムスロット数と現在のパワー制御レベルとに従って、現在のタイムスロット数と現在のパワー制御レベルとに対応するＰＡ  ｂｌａｎｋｉｎｇのワーキングモードの指示情報について、所定のテーブルが検索され、ここで、所定のテーブルは、ＧＳＭサービスにより占有される異なるタイムスロット数とＧＳＭサービスにより用いられる異なるパワー制御レベルとに対応するＰＡ  ｂｌａｎｋｉｎｇのワーキングモードの指示情報を有し、指示情報は、ＰＡ  ｂｌａｎｋｉｎｇのワーキングモードが有効状態又は無効状態にあることを示すのに用いられ、指示情報がＰＡ  ｂｌａｎｋｉｎｇの現在のワーキングモードに一致するか判断され、指示情報がＰＡ  ｂｌａｎｋｉｎｇの現在のワーキングモードに一致しないとき、ＰＡ  ｂｌａｎｋｉｎｇの現在のワーキングモードが、指示情報に対応するワーキングモードに設定される。本発明の本実施例は、従来技術において、ＧＳＭが動作中であるとき、携帯電話のＰＣＬ及びスロットの数の双方が変わり、ＰＡ  ｂｌａｎｋｉｎｇ機能が有効状態又は無効状態にフレキシブルに設定できないため、ＧＰＳのＣＮ０値の低下量が増加し、ＧＰＳ受信信号の品質が劣化するという問題を解決する。
【００７５】
任意的には、プロセッサ６２は更に、
所定の間隔でＧＳＭサービスの状態値がワーキング状態値であるか検出するステップを実行するよう構成される。
【００７６】
任意的には、プロセッサ６２は更に、
ＧＳＭサービスが実行中でないと検出されると、ＰＡ  ｂｌａｎｋｉｎｇの現在のワーキングモードを検出するステップと、
ＰＡ  ｂｌａｎｋｉｎｇの現在のワーキングモードが有効状態にあると検出されると、ＰＡ  ｂｌａｎｋｉｎｇを無効にするステップと、
を実行するよう構成される。
【００７７】
任意的には、プロセッサ６２は更に、
ＰＡ  ｂｌａｎｋｉｎｇのワーキングモードが有効状態にあることを指示情報が示し、ＰＡ  ｂｌａｎｋｉｎｇの現在のワーキングモードが無効状態にあるとき、ＰＡ  ｂｌａｎｋｉｎｇを有効にするステップ、又は、
ＰＡ  ｂｌａｎｋｉｎｇのワーキングモードが無効状態にあることを指示情報が示し、ＰＡ  ｂｌａｎｋｉｎｇの現在のワーキングモードが有効状態にあるとき、ＰＡ  ｂｌａｎｋｉｎｇを無効にするステップ、
を実行するよう構成される。
【００７８】
任意的には、プロセッサ６２は更に、
指示情報がＰＡ  ｂｌａｎｋｉｎｇの現在のワーキングモードに一致していると判断されると、ＰＡ  ｂｌａｎｋｉｎｇの現在のワーキングモードに対して処理を実行しないステップを実行するよう構成される。
【００７９】
装置６０は、携帯電話又はｐａｄなどの端末に配置される。
【００８０】
装置６０の動作プロセスについて、ＰＡ  ｂｌａｎｋｉｎｇのワーキングモードを設定する上記の方法の処理プロセスを参照されたい。
【００８１】
便宜上且つ簡潔な説明のため、上記の機能モジュールの分割は説明のための具体例として単に利用されることが当業者により明確に理解されてもよい。実際の適用では、上記の機能は異なる機能モジュールに割り当て可能であり、要求に従って実現可能であり、すなわち、装置の内部構造は異なる機能モジュールに分割され、上述した機能の全て又は一部を実現する。上記のシステム、装置及びユニットの詳細な動作プロセスについて、上記の方法の実施例における対応するプロセスが参照されてもよく、詳細はここでは再びは提供されない。
【００８２】
本出願において提供される複数の実施例では、開示されたシステム、装置及び方法は他の方式において実現されてもよいことが理解されるべきである。例えば、説明された装置の実施例は単なる例示である。例えば、モジュール又はユニットの分割は、単なる論理機能の分割であり、実際の実現形態では他の分割であってもよい。例えば、複数のユニット又はコンポーネントは他のシステムに組み合わせ又は統合されてもよいし、又は、一部の特徴は無視又は実行されなくてもよい。さらに、表示又は説明された相互結合又は直接的な結合若しくは通信接続は、いくつかのインタフェースを用いることによって実現されてもよい。装置又はユニットの間の間接的な結合又は通信接続は、電子、機械又は他の形態において実現されてもよい。
【００８３】
別々のパーツとして説明されたユニットは物理的に別であっても、又はなくてもよく、ユニットして表示されたパーツは物理的なユニットであっても、又はなくてもよく、１つの位置に配置されてもよいし、又は複数のネットワークユニットに分散されてもよい。ユニットの一部又は全てが、実施例の方策の課題を実現するための実際のニーズに従って選択されてもよい。
【００８４】
さらに、本発明の実施例における機能ユニットは１つの処理ユニットに統合されてもよいし、又は、各ユニットは物理的に単独で存在してもよく、又は、２つ以上のユニットが１つのユニットに統合される。統合されたユニットは、ハードウェアの形態で実現されてもよいし、又はソフトウェア機能ユニットの形態で実現されてもよい。
【００８５】
統合されたユニットがソフトウェア機能ユニットの形態で実現され、独立した製品として販売又は使用されるとき、統合されたユニットは、コンピュータ可読記憶媒体に記憶されてもよい。このような理解に基づき、本質的に本発明の技術的方策、又は従来技術に貢献する部分又は技術的方策の全て若しくは一部は、ソフトウェアプロダクトの形態で実現されてもよい。コンピュータソフトウェアプロダクトは、記憶媒体に記憶され、本発明の実施例において説明された方法のステップの全て又は一部を実行するようコンピュータ装置（パーソナルコンピュータ、サーバ又はネットワーク装置であってもよい）又はプロセッサ（ｐｒｏｃｅｓｓｏｒ）に命令するための複数の命令を有する。上記の記憶媒体は、ＵＳＢフラッシュドライブ、着脱可能なハードディスク、読み出し専用メモリ（ＲＯＭ，Ｒｅａｄ−Ｏｎｌｙ  Ｍｅｍｏｒｙ）、ランダム・アクセス・メモリ（ＲＡＭ，Ｒａｎｄｏｍ  Ａｃｃｅｓｓ  Ｍｅｍｏｒｙ）、磁気ディスク又は光ディスクなど、プログラムコードを記憶可能な何れかの媒体を含む。
【００８６】
上記の説明は、本発明の単なる特定の実現方式であり、本発明の保護範囲を限定することを意図するものでない。本発明に開示された技術的範囲内において当業者により容易に想到される何れかの変形又は置換は、本発明の保護範囲内に属する。従って、本発明の保護範囲は請求項の保護範囲に従う。
【図１】
0006495363.tif 000002
【図２】
0006495363.tif 000003
【図３】
0006495363.tif 000004
【図４】
0006495363.tif 000005
【図５】
0006495363.tif 000006
【図６】
0006495363.tif 000007